(57)【要約】【課題】広域放送等において、その放送情報の中にユーザ又は受信装置の属性情報に関連付けられた情報を挿入表示できる受信装置を提供する。【解決手段】本発明の受信装置は、ユーザ又は受信装置の属性情報を記憶する記憶部と、一方向の情報伝送を行う第１の通信路を通じて第１の映像情報又は第１の音声情報を受信する受信部と、双方向の情報伝送を行う第２の通信路を通じて、第２の映像情報又は第２の音声情報を挿入する時間と属性情報に関連付けられたそれらの固有識別情報とを含むスケジュール情報を受信し、スケジュール情報と記憶部に記憶された属性情報とに従って、第２の映像情報等を受信する通信部と、スケジュール情報に従って、第１の映像情報等に、第２の映像情報等を挿入する編集部と、第２の映像情報等を挿入した第１の映像情報等を出力する出力部と、を有する。【選択図】        図１
2004186890.tif 000002
【特許請求の範囲】
【請求項１】
ユーザ又は受信装置の属性情報を記憶する記憶部と、
一方向の情報伝送を行う第１の通信路を通じて第１の映像情報又は第１の音声情報を受信する受信部と、
双方向の情報伝送を行う第２の通信路を通じて、第２の映像情報又は第２の音声情報を挿入する時間と前記属性情報に関連付けられた前記第２の映像情報又は第２の音声情報の固有識別情報とを含むスケジュール情報を要求して前記スケジュール情報を受信し、前記スケジュール情報と前記記憶部に記憶された前記属性情報とに従って、前記第２の映像情報又は前記第２の音声情報を要求して前記第２の映像情報又は前記第２の音声情報を受信する通信部と、
前記スケジュール情報に従って、前記第１の映像情報又は前記第１の音声情報に、前記第２の映像情報又は前記第２の音声情報を挿入する編集部と、
前記第２の映像情報又は前記第２の音声情報を挿入した前記第１の映像情報又は前記第１の音声情報を出力する出力部と、
を有することを特徴とする受信装置。
【請求項２】
ユーザ又は受信装置の属性情報を記憶する記憶部と、
一方向の情報伝送を行う第１の通信路を通じて第１の映像情報又は第１の音声情報を受信する受信部と、
双方向の情報伝送を行う第２の通信路を通じて、第２の映像情報又は第２の音声情報を挿入する時間と前記第２の映像情報又は第２の音声情報の固有識別情報とを含み前記属性情報に関連付けられたスケジュール情報を要求してそのスケジュール情報を受信し、そのスケジュール情報に従って、前記第２の映像情報又は前記第２の音声情報を要求して前記第２の映像情報又は前記第２の音声情報を受信する通信部と、
前記スケジュール情報に従って、前記第１の映像情報又は前記第１の音声情報に、前記第２の映像情報又は前記第２の音声情報を挿入する編集部と、
前記第２の映像情報又は前記第２の音声情報を挿入した前記第１の映像情報又は前記第１の音声情報を出力する出力部と、
を有することを特徴とする受信装置。
【請求項３】
前記スケジュール情報、前記第２の映像情報又は前記第２の音声情報は、更に前記第２の映像情報又は前記第２の音声情報の挿入方法の情報を含み、前記編集部は前記挿入方法に従って前記第１の映像情報又は前記第１の音声情報に、前記第２の映像情報又は前記第２の音声情報を挿入することを特徴とする請求項１又は請求項２に記載の受信装置。
【請求項４】
前記第１の通信路を通じて前記第１の映像情報又は前記第１の音声情報を送信する第１の送信装置と、
請求項１から請求項３のいずれかの請求項に記載の受信装置と、
前記スケジュール情報を記憶し、前記通信部からの要求に応じて前記スケジュール情報を送信するスケジュールサーバと、
前記通信部からの要求に応じて前記第２の映像情報又は前記第２の音声情報を送信する第２の送信装置と、
を有することを特徴とする伝送システム。
【請求項５】
一方向の情報伝送を行う第１の通信路を通じて第１の映像情報又は第１の音声情報を受信する受信ステップと、
双方向の情報伝送を行う第２の通信路を通じて、第２の映像情報又は第２の音声情報を挿入する時間とユーザ又は受信装置の属性情報に関連付けられた前記第２の映像情報又は第２の音声情報の固有識別情報とを含むスケジュール情報を要求して前記スケジュール情報を受信する第１の通信ステップと、
前記スケジュール情報と受信装置が記憶するその受信装置又はその受信装置のユーザの属性情報とに従って、前記第２の映像情報又は前記第２の音声情報を要求して前記第２の映像情報又は前記第２の音声情報を受信する第２の通信ステップと、
前記スケジュール情報に従って、前記第１の映像情報又は前記第１の音声情報に、前記第２の映像情報又は前記第２の音声情報を挿入する編集ステップと、
前記第２の映像情報又は前記第２の音声情報を挿入した前記第１の映像情報又は前記第１の音声情報を出力する出力ステップと、
を有することを特徴とする受信方法。
【請求項６】
一方向の情報伝送を行う第１の通信路を通じて第１の映像情報又は第１の音声情報を受信する受信ステップと、
双方向の情報伝送を行う第２の通信路を通じて、第２の映像情報又は第２の音声情報を挿入する時間と前記第２の映像情報又は第２の音声情報の固有識別情報とを含みユーザ又は受信装置の属性情報に関連付けられたスケジュール情報を要求してそのスケジュール情報を受信する第１の通信ステップと、
受信した前記スケジュール情報に従って、前記第２の映像情報又は前記第２の音声情報を要求して前記第２の映像情報又は前記第２の音声情報を受信する第２の通信ステップと、
前記スケジュール情報に従って、前記第１の映像情報又は前記第１の音声情報に、前記第２の映像情報又は前記第２の音声情報を挿入する編集ステップと、
前記第２の映像情報又は前記第２の音声情報を挿入した前記第１の映像情報又は前記第１の音声情報を出力する出力ステップと、
を有することを特徴とする受信方法。
【請求項７】
前記スケジュール情報、前記第２の映像情報又は前記第２の音声情報は、更に前記第２の映像情報又は前記第２の音声情報の挿入方法の情報を含み、前記編集ステップにおいて、前記挿入方法に従って前記第１の映像情報又は前記第１の音声情報に、前記第２の映像情報又は前記第２の音声情報を挿入することを特徴とする請求項５又は請求項６に記載の受信方法。
【発明の詳細な説明】
【０００１】
【発明の属する技術分野】
本発明は、受信装置、伝送システム及び受信方法に関する。
【０００２】
【従来の技術】
従来、テレビ放送等は、放送局から単一の放送番組（映像情報及び音声情報を含む。）を放送し、その放送を受信する全てのユーザは単一の放送番組を視聴した。
ユーザ又は受信装置の属性情報（ユーザ又は受信装置に固有の情報を意味する。例えば受信装置の置かれた地域、ユーザの性別、年齢、職業、趣味等である。）に応じて、ユーザ又は受信装置毎に異なる放送番組を配信することが出来れば、ユーザにより大きな満足を与えることが出来る。
【０００３】
特開平０７−１５４３５０号公報に、ユーザ又は受信装置毎に異なる放送番組を配信する従来例１の多重放送方法及びその受信装置が記載されている。従来例１の多重放送方法及びその受信装置を説明する。放送局（映像情報又は音声情報を送信する送信装置）は、複数の番組（例えば複数の地域限定のコマーシャル放送）とそれぞれの番組に対応付けられた地域コード（例えば郵便番号）とを含む多重データを送信する。受信装置は、設置地域の地域コードを多重放送受信機のＩＤとしてメモリに登録しておき、データ抽出回路により分離された、受信多重データの地域コードと、メモリ上のＩＤとを比較して、双方が一致するときにのみ、多重データに対応する画像を受像機に表示する。
【０００４】
特開２００１−３０６９２２号公報に、インターネットにおいて地域を特定して情報を配信する従来例２のコマーシャル配信方法およびその受信装置が記載されている。従来例２のコマーシャル配信方法及びその受信装置を説明する。従来例２の受信装置はアクセスポイントに設置されたネットワークアクセスサーバ（メールサーバ）にアクセスする。ネットワークアクセスサーバは、データベース（広告情報データ）からネットワークアクセスサーバの地域コードと同一の地域コードを持つ広告等のデータを取得して、その受信装置のユーザ宛てのメールに広告等のデータを挿入し受信装置に送信する。受信装置は、広告等のデータを挿入したメールを取得する。
【０００５】
【特許文献１】
特開平０７−１５４３５０号公報
【特許文献２】
特開２００１−３０６９２２号公報
【０００６】
【発明が解決しようとする課題】
しかし、従来例１の多重放送方法及びその受信装置においては、放送局が全ての地域の地域限定情報を盛り込んだデータを送信しなければならない。放送チャンネルの伝送容量以上を越えるデータを送信することは出来ない故に、広域放送（例えば衛星放送のように１つの電波で全国をカバーするテレビ放送）においては、例えば市町村単位の地域限定コマーシャル放送を放送番組に多重化することは困難である。
受信装置は各ユーザに視聴されることのない部分を多く含んだ大容量の情報を受信し処理することになる。視聴されることのない情報を処理するために、付加価値を生まない受信装置の高処理能力化が必要になるという問題があった。また、アナログテレビ放送では、地域毎の情報を載せるための放送チャンネルのデータ伝送容量が十分でない。従来例１の多重放送方法をアナログテレビ放送に適用することは困難であった。
【０００７】
従来例２のコマーシャル配信方法およびその受信装置においては、電子メールの利用者のみにしか広告を配信できないという問題があった。
本発明は、放送チャンネルのデータ伝送容量が十分でない放送（例えばアナログテレビ放送）において、又は広域放送（例えば全国統一の番組放送）において、その放送情報の中にユーザ又は受信装置の属性情報に関連付けられた情報（例えば地域限定情報）を挿入表示できる受信装置、伝送システム及び受信方法を提供することを目的とする。
【０００８】
【課題を解決するための手段】
上記課題を解決するため、本発明は下記の構成を有する。
請求項１に記載の発明は、ユーザ又は受信装置の属性情報を記憶する記憶部と、一方向の情報伝送を行う第１の通信路を通じて第１の映像情報又は第１の音声情報を受信する受信部と、双方向の情報伝送を行う第２の通信路を通じて、第２の映像情報又は第２の音声情報を挿入する時間と前記属性情報に関連付けられた前記第２の映像情報又は第２の音声情報の固有識別情報とを含むスケジュール情報を要求して前記スケジュール情報を受信し、前記スケジュール情報と前記記憶部に記憶された前記属性情報とに従って、前記第２の映像情報又は前記第２の音声情報を要求して前記第２の映像情報又は前記第２の音声情報を受信する通信部と、前記スケジュール情報に従って、前記第１の映像情報又は前記第１の音声情報に、前記第２の映像情報又は前記第２の音声情報を挿入する編集部と、前記第２の映像情報又は前記第２の音声情報を挿入した前記第１の映像情報又は前記第１の音声情報を出力する出力部と、を有することを特徴とする受信装置である。
【０００９】
「ユーザ又は受信装置の属性情報」とは、ユーザ又は受信装置に関連付けられた任意の情報である。例えばその受信装置が設置された場所等の情報、その受信装置のユーザの住所、年齢、性別、職業又は趣味等の情報である。
「第１の映像情報又は第１の音声情報に、第２の映像情報又は第２の音声情報を挿入する」こととは、第１の映像情報及び第２の映像情報の両方を用いて任意の映像情報を生成すること、第１の音声情報及び第２の音声情報の両方を用いて任意の音声情報を生成すること、及び第１の映像情報及び第２の映像情報の両方を用いて任意の映像情報を生成し且つ第１の音声情報及び第２の音声情報の両方を用いて任意の音声情報を生成することを含む。例えば、第１の映像情報（又は第１の音声情報）の全部又は一部を第２の映像情報（又は第２の音声情報）に差し替えること、第１の映像情報（又は第１の音声情報）の全部又は一部に第２の映像情報（又は第２の音声情報）を混合することである。
【００１０】
請求項２に記載の発明は、ユーザ又は受信装置の属性情報を記憶する記憶部と、一方向の情報伝送を行う第１の通信路を通じて第１の映像情報又は第１の音声情報を受信する受信部と、双方向の情報伝送を行う第２の通信路を通じて、第２の映像情報又は第２の音声情報を挿入する時間と前記第２の映像情報又は第２の音声情報の固有識別情報とを含み前記属性情報に関連付けられたスケジュール情報を要求してそのスケジュール情報を受信し、そのスケジュール情報に従って、前記第２の映像情報又は前記第２の音声情報を要求して前記第２の映像情報又は前記第２の音声情報を受信する通信部と、前記スケジュール情報に従って、前記第１の映像情報又は前記第１の音声情報に、前記第２の映像情報又は前記第２の音声情報を挿入する編集部と、前記第２の映像情報又は前記第２の音声情報を挿入した前記第１の映像情報又は前記第１の音声情報を出力する出力部と、を有することを特徴とする受信装置である。
【００１１】
請求項３に記載の発明は、前記スケジュール情報、前記第２の映像情報又は前記第２の音声情報は、更に前記第２の映像情報又は前記第２の音声情報の挿入方法の情報を含み、前記編集部は前記挿入方法に従って前記第１の映像情報又は前記第１の音声情報に、前記第２の映像情報又は前記第２の音声情報を挿入することを特徴とする請求項１又は請求項２に記載の受信装置である。
「挿入方法」とは、第１の映像情報（又は第１の音声情報）及び第２の映像情報（又は第２の音声情報）の両方を用いて映像情報（又は音声情報）を生成する方法を意味する。
【００１２】
請求項４に記載の発明は、前記第１の通信路を通じて前記第１の映像情報又は前記第１の音声情報を送信する第１の送信装置と、請求項１から請求項３のいずれかの請求項に記載の受信装置と、前記スケジュール情報を記憶し、前記通信部からの要求に応じて前記スケジュール情報を送信するスケジュールサーバと、前記通信部からの要求に応じて前記第２の映像情報又は前記第２の音声情報を送信する第２の送信装置と、を有することを特徴とする伝送システムである。
【００１３】
請求項５に記載の発明は、一方向の情報伝送を行う第１の通信路を通じて第１の映像情報又は第１の音声情報を受信する受信ステップと、双方向の情報伝送を行う第２の通信路を通じて、第２の映像情報又は第２の音声情報を挿入する時間とユーザ又は受信装置の属性情報に関連付けられた前記第２の映像情報又は第２の音声情報の固有識別情報とを含むスケジュール情報を要求して前記スケジュール情報を受信する第１の通信ステップと、前記スケジュール情報と受信装置が記憶するその受信装置又はその受信装置のユーザの属性情報とに従って、前記第２の映像情報又は前記第２の音声情報を要求して前記第２の映像情報又は前記第２の音声情報を受信する第２の通信ステップと、前記スケジュール情報に従って、前記第１の映像情報又は前記第１の音声情報に、前記第２の映像情報又は前記第２の音声情報を挿入する編集ステップと、前記第２の映像情報又は前記第２の音声情報を挿入した前記第１の映像情報又は前記第１の音声情報を出力する出力ステップと、を有することを特徴とする受信方法である。
【００１４】
請求項６に記載の発明は、一方向の情報伝送を行う第１の通信路を通じて第１の映像情報又は第１の音声情報を受信する受信ステップと、双方向の情報伝送を行う第２の通信路を通じて、第２の映像情報又は第２の音声情報を挿入する時間と前記第２の映像情報又は第２の音声情報の固有識別情報とを含みユーザ又は受信装置の属性情報に関連付けられたスケジュール情報を要求してそのスケジュール情報を受信する第１の通信ステップと、受信した前記スケジュール情報に従って、前記第２の映像情報又は前記第２の音声情報を要求して前記第２の映像情報又は前記第２の音声情報を受信する第２の通信ステップと、前記スケジュール情報に従って、前記第１の映像情報又は前記第１の音声情報に、前記第２の映像情報又は前記第２の音声情報を挿入する編集ステップと、前記第２の映像情報又は前記第２の音声情報を挿入した前記第１の映像情報又は前記第１の音声情報を出力する出力ステップと、を有することを特徴とする受信方法である。
【００１５】
請求項７に記載の発明は、前記スケジュール情報、前記第２の映像情報又は前記第２の音声情報は、更に前記第２の映像情報又は前記第２の音声情報の挿入方法の情報を含み、前記編集ステップにおいて、前記挿入方法に従って前記第１の映像情報又は前記第１の音声情報に、前記第２の映像情報又は前記第２の音声情報を挿入することを特徴とする請求項５又は請求項６に記載の受信方法である。本発明は、放送チャンネルのデータ伝送容量が十分でない放送において、又は広域放送において、その放送情報の中にユーザ又は受信装置の属性情報に関連付けられた情報を挿入表示できる受信装置、伝送システム及び受信方法を実現できるという作用を有する。
【００１６】
【発明の実施の形態】
以下本発明の実施をするための最良の形態を具体的に示した実施例について、図面とともに記載する。
【００１７】
《実施例１》
図１〜７を用いて、実施例１の受信装置及び伝送システムを説明する。図１は実施例１の伝送システムの構成を示すブロック図である。図１において、１０１は受信装置、１０２は放送局、１０３は挿入情報蓄積サーバＳ（１）、１０４は挿入情報蓄積サーバ（２）、１０５は挿入情報蓄積サーバ（ｍ）（ｍは任意の正整数。実施例においてｍは２以上の正整数）、１０６は放送衛星、１０７はインターネットである。受信装置１０１は、操作入力部１１１、記憶部１１２、通信部１１３、受信部１１４、編集部１１５、出力部１１６を有する。１１７は表示部である。放送局１０２は、放送番組出力部１２１、コントロール部１２２、スケジュールサーバ１２３を有する。
【００１８】
放送番組出力部１２１は、放送衛星１０６を通じて衛星放送（第１の映像情報及び第１の音声情報を含む。）を各受信装置に配信する。スケジュールサーバ１２３は、ユーザ又は受信装置の属性情報（実施例においては受信装置が設置された地域の情報（例えば７桁の郵便番号）である。）、挿入情報（第２の映像情報又は第２の音声情報。実施例においては、地域限定のコマーシャル放送である。）の固有識別情報、並びに挿入情報を衛星放送に挿入する時間及び挿入方法の情報等を相互に関連付けた情報であるスケジュール情報を記憶しており、インターネット１０７に接続されている。
コントロール部１２２は、放送番組出力部１２１が送出する衛星放送の内容及び放送時刻とスケジュールサーバ１２３が蓄積するスケジュール情報とを相互に関連付けながら、放送番組出力部１２１とスケジュールサーバ１２３とを制御している。
受信装置１０１の受信部１１４は、放送衛星１０６を通じて送信される衛星放送を受信し、表示部１１７（実施例では映像ディスプレイ及びスピーカである。）で表示している。
【００１９】
挿入情報蓄積サーバＳ（１）〜Ｓ（ｍ）は、挿入情報とそれらの固有識別情報とを相互に関連付けて蓄積しており、インターネット１０７に接続されている。
単一の挿入情報蓄積サーバが全ての挿入情報を蓄積しても良いが、実施例においては複数の挿入情報蓄積サーバＳ（１）〜Ｓ（ｍ）を設置している。全ての挿入情報（第２の映像情報及び第２の音声情報）は、各挿入情報蓄積サーバＳ（１）〜Ｓ（ｍ）に一部ずつ分散して格納されている（ある第２の映像情報は挿入情報蓄積サーバＳ（１）のみに格納され、他の第２の映像情報は挿入情報蓄積サーバＳ（２）のみに格納されている。）。これにより、受信装置１０１からのアクセスが全て１つの挿入情報蓄積サーバに集中して、挿入情報蓄積サーバ自体又はその挿入情報蓄積サーバの通信回線の処理能力を超える情報処理が発生することを防止している。
定期的に及び放送番組の内容を変更する都度、コントロール部１２２の指令に基づいて、各挿入情報蓄積サーバＳ（１）〜Ｓ（ｍ）は蓄積する挿入情報を更新する。
【００２０】
受信装置１０１を説明する。ユーザは操作入力部１１１を通じて受信装置１０１に対する指令を入力する。記憶部１１２は不揮発性のメモリ（例えばフラッシュメモリ）であって、ユーザ又は受信装置の属性情報と、スケジュールサーバ１２３のアドレス情報と、通信部１１３が受信したスケジュール情報とを記憶する。通信部１１３は、インターネット１０７を通じて他の装置（例えばスケジュールサーバ１２３及び挿入情報蓄積サーバＳ（１）〜Ｓ（ｍ））との間で情報を送受信する。受信部１１４は、衛星放送を受信する。編集部１１５は、スケジュール情報の挿入時間及び挿入方法に従って、受信部１１４が受信した第１の映像情報（衛星放送）に、通信部１１３が受信した第２の映像情報（挿入情報）を挿入する。同様に、編集部１１５は、スケジュール情報の挿入方法に従って、受信部１１４が受信した第１の音声情報（衛星放送）に、通信部１１３が受信した第２の音声情報（挿入情報）を挿入する。出力部１１６は、編集部１１５が生成した映像情報及び音声情報を出力する。
【００２１】
ユーザは操作入力部１１１に、属性情報を予め入力しておく。属性情報は実施例では、郵便番号等の地域情報であるが、この他に、性別、年齢、趣味等の個人情報を入力してもよい。入力された属性情報は、記憶部１１２へ転送され記憶される。スケジュールサーバ１２３のアドレス情報は、予め記憶部１１２に記憶されている。通信部１１３は、インターネット１０７を通じて、スケジュールサーバ１２３から、スケジュール情報を定期的に受信する。スケジュール情報は、図５で示す構成である（詳細は後述）。通信部１１３は、スケジュール情報と、記憶部１１２に記憶された属性情報とに従って、挿入情報蓄積サーバＳ（１）〜Ｓ（ｍ）１０３〜１０５のいずれかから、挿入する第２の映像情報又は第２の音声情報を受信する。受信部１１４で受信した衛星放送と、通信部１１３で受信した挿入情報とを編集部１１５で編集し、出力部１１６から出力する。
【００２２】
図５は、実施例１のスケジュール情報の構成を示す。実施例１のスケジュール情報において、「属性情報」の欄は、属性情報（郵便番号）を表す。各受信装置１０１は、その属性情報と同一の属性情報に関係付けられた第２の映像情報又は第２の音声情報を取得する。「映像／音声」の欄は、ＵＲＬに格納されている情報が第２の映像情報か第２の音声情報かを示す。「チャンネル」の欄は、第２の映像情報又は第２の音声情報を挿入する衛星放送（第１の映像情報又は第１の音声情報）の放送チャンネルを表す。「開始時刻」及び「終了時刻」は、それぞれ第２の映像情報（又は第２の音声情報）を第１の映像情報（又は第１の音声情報）に挿入を開始し、終了する時刻を示す（単位は時：分：秒）。「ＵＲＬ」の欄は、第２の映像情報又は第２の音声情報を保管するインターネット上のＵＲＬであって、第２の映像情報又は第２の音声情報の固有識別情報を兼ねている。「挿入方法」の欄は、第１の映像情報又は第１の音声情報に第２の映像情報又は第２の音声情報を挿入する挿入方法を表す。
【００２３】
図２を用いて、受信装置１０１が衛星放送（第１の映像情報及び第１の音声情報）と挿入情報（第２の映像情報又は第２の音声情報）をそれぞれ受信し、編集した後、出力する方法を説明する。図２は受信装置１０１の詳細なブロック図である。図２において受信装置１０１は、操作入力部１１１、記憶部１１２、通信部１１３、受信部１１４、編集部１１５、出力部１１６、時計回路２０１、システムコントローラ２０２、ＤＥＭＵＸ回路２０３、復号化部２０４、２０５を有する。受信部１１４は、アンテナ２１１、チューナ２１２、ＤＥＭＵＸ回路２１３を有する。復号化部２０４は、音声復号化部２２１、映像復号化部２２２を有する。復号化部２０５は、音声復号化部２３１、映像復号化部２３２を有する。編集部１１５は、音声挿入部２４１、映像挿入部２４２を有する。出力部１１６は、音声出力部２５１、映像出力部２５２を有する。表示部１１７は、音声表示部２６１、映像表示部２６２を有する。
【００２４】
記憶部１１２は、ユーザが操作入力部１１１で予め入力しておいた属性情報（実施例では地域情報）を記憶しておく。通信部１１３は、インターネット１０７を通じて、スケジュールサーバ１２３から、スケジュール情報を定期的に受信し、記憶部１１２に伝送する。
通信部１１３は、スケジュール情報と、記憶部１１２に記憶された属性情報とに従って、挿入情報蓄積サーバＳ（１）〜Ｓ（ｍ）１０３〜１０５のいずれかから、挿入する第２の映像情報又は第２の音声情報を受信し、記憶部１１２に蓄積する。
システムコントローラ２０２は、スケジュール情報に含まれる挿入情報の開始時刻及び終了時刻と時計回路２０１が出力する時刻情報とを比較する。システムコントローラ２０２は、挿入情報の開始時刻と時刻情報とが一致した時に編集部１１５に編集開始指令を送り、編集部１１５は受信した第１の衛星放送に挿入情報を挿入し始める。システムコントローラ２０２は、挿入情報の終了時刻と時刻情報とが一致した時に編集部１１５に編集終了指令を送り、編集部１１５は受信した第１の衛星放送に挿入情報を挿入することを終了する。
これに代えて、スケジュール情報に含まれる挿入情報の開始時刻及び終了時刻と衛星放送に多重化されている時刻情報とを比較して、システムコントローラ２０２が編集開始指令及び編集終了指令を送っても良い。
【００２５】
受信部１１４のアンテナ２１１は、放送衛星１０６を通じて送信される衛星放送を受信する。チューナ２１２は、受信した全てのチャンネルの衛星放送の中から、特定のチャンネルの衛星放送をそれぞれ取り出す。ＤＥＭＵＸ回路２１３は多重化された情報を、映像情報（第１の映像情報）、音声情報（第１の音声情報）、付加情報に分離する。第１の音声情報は、復号化部２０４の音声復号化部２２１で、復号化（例えばデータ圧縮された音声情報を伸長）され、編集部１１５の音声挿入部２４１へ伝送される。同様に、第１の映像情報は、映像復号化部２２２で復号化された後、映像挿入部２４２へ伝送される。
【００２６】
挿入情報の挿入開始時刻になると、記憶部１１２は挿入情報を読み出してＤＥＭＵＸ回路２０３に送る。ＤＥＭＵＸ回路２０３は挿入情報を第２の映像情報及び第２の音声情報に分離する。第２の音声情報は、復号化部２０５の音声復号化部２３１で復号化された後、音声挿入部２４１へ伝送される。同様に、第２の映像情報は、映像復号化部２３２で復号化された後、映像挿入部２４２へ伝送される。編集部１１５の音声挿入部２４１は、音声復号化部２２１から伝送された第１の音声情報に、音声復号化部２３１から伝送された第２の音声情報を挿入して（例えばどちらかの音声情報を選択し、又は両者の音声情報をミックスして）、音声出力部２５１に伝送する。映像挿入部２４２は、映像復号化部２２２から伝送された第１の映像情報に、映像復号化部２３２から伝送された第２の映像情報を挿入して（例えば、どちらかの映像情報を選択し、第１の映像情報の一部を第２の映像情報に入れ替えて、又は両者の映像情報をミックスして）、映像出力部２５２に伝送する。表示部１１７の音声表示部２６１（スピーカ）は、音声出力部２５１が出力した音声情報を入力して音声を出力する。映像表示部２６２（映像ディスプレイ）は、映像出力部２５２が出力した映像情報を入力して表示する。
挿入情報の終了時刻になると、編集部１１５の音声挿入部２４１及び映像挿入部２４２は、第２の映像情報又は第２の音声情報を第１の映像情報又は第１の音声情報に挿入することを停止する。表示部１１７は、放送衛星１０６から受信した第１の映像情報又は第１の音声情報を表示する。
【００２７】
実施例１の受信方法を説明する。図３は、実施例１の伝送方法（受信方法を含む。）のフローチャートである。受信装置１０１の通信部１１３は、インターネット１０７を通じて、スケジュールサーバ１２３に、スケジュール情報の送信要求を送信する（ステップ３０１）。スケジュールサーバ１２３は、通信部１１３からのスケジュール情報の送信要求を受信し（ステップ３０２）、スケジュール情報を受信装置１０１の通信部１１３に送信する（ステップ３０３）。
受信装置１０１の通信部１１３は、スケジュール情報を受信し（ステップ３０４）、スケジュール情報を記憶部１１２に蓄積する（ステップ３０５）。受信装置１０１の通信部１１３は、スケジュール情報と、予めユーザが入力しておいた受信装置の属性情報（地域情報）に基づいて、挿入情報蓄積サーバ１０３〜１０５のいずれかに、挿入情報の送信要求を送信する（ステップ３０６）。図３では、挿入情報蓄積サーバ１０３に挿入情報の送信要求を送信する。
【００２８】
挿入情報蓄積サーバ１０３は、挿入情報の送信要求を受信し（ステップ３０７）、挿入情報を受信装置１０１の通信部１１３に送信する（ステップ３０８）。
受信装置１０１の通信部１１３は、挿入情報蓄積サーバ１０３から挿入情報を受信し（ステップ３０９）、挿入情報を記憶部１１２に蓄積する（ステップ３１０）。受信装置１０１の受信部１１４は、放送局１０２の放送番組出力部１２１から放送衛星１０６を通じて送信される衛星放送を受信し、表示部１１７に表示している（ステップ３１１）。挿入情報の挿入時間（挿入開始時刻〜挿入終了時刻）か否かを判断する（ステップ３１２）。挿入情報の挿入時間であれば、スケジュール情報に従って挿入情報を衛星放送に挿入し表示する（ステップ３１３）。挿入時間でなければ、衛星放送を表示する（ステップ３１４）。ステップ３１１に戻って上記の処理を繰り返す。
【００２９】
図４を用いて、受信装置１０１の編集部１１５で、衛星放送（第１の映像情報又は第１の音声情報）に、挿入情報（第２の映像情報又は第２の音声情報）を挿入する方法を説明する。図４は、衛星放送に挿入情報を挿入する挿入方法を示すフローチャートである。
映像挿入部２４２は、スケジュール情報の挿入方法に基づき、第１の映像情報に第２の映像情報を全画面入れ替えで挿入するか否か判断する（ステップ４０１）。全画面を入れ替える場合、第１の映像情報に代えて、第２の映像情報を出力する（ステップ４０２）。全画面入れ替えでない場合、映像挿入部２４２は、第１の映像情報の画面に第２の映像情報の画面を一部入れ替えるか否か判断する（ステップ４０３）。一部入れ替える場合、入れ替え領域に合わせて第２の映像情報を変形し（ステップ４０４）、第１の映像情報と第２の映像情報を切り替えて出力する（ステップ４０５）。一部入れ替えでない場合、映像挿入部２４２は、第１の映像情報と第２の映像情報の画面をミックスするか否か判断する（ステップ４０６）。画面をミックスする場合、ミックス領域に合わせて第２の映像情報を変形し（ステップ４０７）、第１の映像情報と第２の映像情報とをミックスして出力する（ステップ４０８）。画面をミックスしない場合、第１の映像情報を出力する（ステップ４０９）。ステップ４０１〜ステップ４０９では、第１の映像情報に第２の映像情報を挿入する方法を説明したが、第２の映像情報を主画面にして、第１の映像情報を挿入してもよい。
【００３０】
音声挿入部２４１は、第１の音声情報と第２の音声情報を入れ替えるか否か判断する（ステップ４１０）。音声を入れ替える場合、第１の音声情報に代えて第２の音声情報を出力する（ステップ４１１）。音声を入れ替えない場合、音声挿入部２４１は、第１の音声情報と第２の音声情報をミックスするか否か判断する（ステップ４１２）。音声をミックスする場合、第１の音声情報と第２の音声情報とをミックスして出力する（ステップ４１３）。音声をミックスしない場合、第１の音声情報を出力する（ステップ４１４）。
【００３１】
図５〜図７を用いて、衛星放送に挿入情報を挿入する方法を説明する。郵便番号（属性情報）が１０１−００１１である受信装置１０１は、第１５１チャンネルの衛星放送（野球中継とする。）を１９時３０分から受信しているとする。最初表示部１１７は、図６（ａ）に示すように映像及び音声共に野球中継を表示している（図４のステップ４０９、４１４）。２０時０分０秒から２０時０分２０秒まで、受信装置１０１は第１の映像情報及び第１の音声情報の両方をパナソニック（登録商標）のコマーシャル放送（第２の映像情報及び第２の音声情報）に全て入れ替える（図４のステップ４０２、４１１、図５の５０１、５０２）。表示部１１７は、図６（ｂ）に示すように映像及び音声共にパナソニック（登録商標）のコマーシャル放送を表示する。
【００３２】
２０時０分２０秒から２０時２５分３０秒まで、受信装置１０１は領域１及び領域２を除き野球中継の映像を出力する（図６（ｃ））。図７は、図６（ｃ）の状態での野球場のフェンスの一部を示す。フェンスの領域を右から領域１、領域２、領域３、領域４とする。フェンスの各領域の大きさ及び形状は、フェンスを写すカメラの位置及びそのレンズのズーム倍率により変化する。受信装置１０１は、中継画面からフェンスの各領域を抽出し、各領域の形状と大きさに合わせて第２の映像情報の形状及び大きさを変形し（図４のステップ４０４）、入れ替える。受信装置１０１は画面上の領域１（７０１）にはパナソニック（登録商標）の広告を表示する（一部入れ替え、図４のステップ４０５、図５の５０３）。画面上の領域２（７０２）には、２０時０分２０秒から２０時１５分０秒までＢ喫茶店の広告を表示し（一部入れ替え、図４のステップ４０５、図５の５０４）、２０時１５分０秒から２０時２５分３０秒までＣ市場の広告を表示する（一部入れ替え、図４のステップ４０５、図５の５０５）。
受信装置１０１は、２０時１５分０秒から２０時１５分１５秒まで、第２の音声情報（Ｃ市場のコマーシャル放送）を野球中継の音声にミックスする（例えば球場内でコマーシャル放送をしているような様子で放送する。）（図４のステップ４１３、図５の５０６）。
図５の５０７に示すように、野球中継の画面の下部に文字１行をミックスしても良い。
【００３３】
上記の様に、属性情報が１０１−００１１である受信装置は、２０時０分２０秒から２０時１５分０秒までその地域にあるＢ喫茶店の広告を領域２に含む画像情報を生成して出力する。同じ時間、属性情報が２５３−００７６である受信装置は、他の店の広告（Ｆ喫茶店）を領域２に含む画像情報を生成して出力することが出来る（図５の５０９）。ユーザは地域に密着した有用なコマーシャル放送を見ることが出来る。コマーシャル放送のスポンサは、大きな宣伝効果が得られる限定された地域を対象に安価な料金でコマーシャル放送をすることが出来る。放送局は、１つの放送時間帯を地域を限定することにより複数のスポンサに割り当てることが出来、より多くのコマーシャル料収入を得ることが出来る。
実施例１においては、第１の映像情報の中のオブジェクトを領域として特定し、その領域に第２の映像情報を挿入した。これに代えて、第１の映像情報の中の所定の位置の所定の大きさの部分（例えば画面の右下の１／４画面）を領域として特定し、その領域に第２の映像情報を挿入しても良い。
【００３４】
《実施例２》
図８を用いて実施例２の受信装置及び伝送システムを説明する。図８は実施例２のスケジュール情報の構成を示す。実施例２のスケジュール情報は、実施例１の終了時刻に代えて放送時間（＝終了時刻−開始時刻、単位は分：秒）の欄８０１を有し、実施例１のＵＲＬに代えて固有識別情報８０２を有する。又、実施例２のスケジュール情報は、属性情報として、全国ネット（全ての地域において、挿入情報を衛星放送に挿入する。）であることを示す値０００−００００を使用している（８０３、８０４）。
実施例１においては、スケジュールサーバ１２３は、受信装置に全てのスケジュール情報（その受信装置の属性情報と異なる属性情報に関連付けられたスケジュール情報を含む。）を送信した。
実施例２の受信装置１０１は、その受信装置の属性情報（例えば１０１−００１１）を添付して、スケジュールサーバ１２３にスケジュール情報の送信を要求する。スケジュールサーバ１２３は、その受信装置の属性情報に関連付けられたスケジュール情報（例えば１０１−００１１の欄のスケジュール情報）のみを送信する。受信装置は、受信したスケジュール情報に従って、第２の映像情報又は第２の音声情報を取得し、第１の映像情報又は第１の音声情報に挿入する。この時、受信装置は、受信装置の属性情報とスケジュール情報の属性情報とを比較する必要がない。
【００３５】
実施例２の挿入情報蓄積サーバＳ（１）〜Ｓ（ｍ）は、所定の地域に設置された受信装置からアクセスされる。各挿入情報蓄積サーバＳ（ｉ）（１≦ｉ≦ｍ）は、その地域に設置された受信装置に送信すべき全ての挿入情報を蓄積している（複数の挿入情報蓄積サーバＳ（ｉ）が同一の挿入情報を蓄積することもある。）。例えば、挿入情報蓄積サーバＳ（１）は関東地方に配信する挿入情報を蓄積し、挿入情報蓄積サーバＳ（２）は関西地方に配信する挿入情報を蓄積し、挿入情報蓄積サーバＳ（ｍ）は九州地方に配信する挿入情報を蓄積する。例えば、東京に設置された受信装置は、関東地方限定の挿入情報（第２の映像情報又は第２の音声情報）を挿入情報蓄積サーバＳ（１）１０３から受信する。
【００３６】
実施例１においては、第２の映像情報又は第２の音声情報の固有識別情報はＵＲＬを兼ねていた。受信装置１０１はそのＵＲＬに順番にアクセスすることにより、第２の映像情報又は第２の音声情報を１つずつ取得した。
実施例２の受信装置１０１の記憶部１１２は、予め特定の挿入情報蓄積サーバＳ（ｉ）（ｉは１≦ｉ≦ｍである整数）のアドレス情報を記憶している。通信部１１３はその受信装置の属性情報（郵便番号）と全国ネットの属性情報（０００−００００）とを付加した挿入情報の要求をその挿入情報蓄積サーバＳ（ｉ）に送信する。その挿入情報蓄積サーバＳ（ｉ）は、その受信装置の属性情報及び全国ネットの属性情報に対応づけられた全ての挿入情報（第２の映像情報及び第２の音声情報）を、その固有識別情報（図８の固有識別情報の欄８０２）と共に、受信装置に送信する。受信装置は、１回の通信で全ての挿入情報を取得することが出来る。
これ以外の点において（図１等）、実施例２の受信装置及び伝送システムは実施例１と同一である。
【００３７】
第１の映像情報及び第１の音声情報は、一方向の情報伝送を行う任意の通信路（例えば地上波放送）を通じて伝送される情報である。第２の映像情報及び第２の音声情報は、双方向の情報伝送を行う任意の通信路（例えば電話回線）を通じて伝送される情報である。
実施例において、スケジュール情報は、第２の映像情報又は第２の音声情報の挿入方法の情報を含み、編集部はその挿入方法に従って第１の映像情報又は第１の音声情報に、第２の映像情報又は第２の音声情報を挿入した。これに代えて、挿入情報蓄積サーバから送られる第２の映像情報又は第２の音声情報が、第２の映像情報又は第２の音声情報の挿入方法の情報を含み、編集部はその挿入方法に従って第１の映像情報又は第１の音声情報に、第２の映像情報又は第２の音声情報を挿入しても良い。
【００３８】
【発明の効果】
本発明によれば、放送チャンネルのデータ伝送容量が十分でない放送（例えばアナログテレビ放送）において、又は広域放送（例えば全国統一の番組放送）において、その放送情報の中にユーザ又は受信装置の属性情報に関連付けられた情報（例えば地域限定情報）を挿入表示できる受信装置、伝送システム及び受信方法を実現できるという有利な効果が得られる。
【図面の簡単な説明】
【図１】本発明の実施例の伝送システムの構成を示すブロック図
【図２】本発明の実施例の受信装置１０１の詳細な構成を示すブロック図
【図３】本発明の実施例１の伝送方法（受信方法を含む。）のフローチャート
【図４】本発明の実施例の受信装置１０１の編集部１１５が衛星放送に挿入情報を挿入する挿入方法を示すフローチャート
【図５】本発明の実施例１のスケジュール情報の構成を示す図
【図６】図６（ａ）、（ｂ）、（ｃ）は、本発明の実施例の受信装置１０１の動作を説明するための図
【図７】本発明の実施例の受信装置１０１の動作を説明するための図
【図８】本発明の実施例２のスケジュール情報の構成を示す図
【符号の説明】
１０１    受信装置
１０２    放送局
１０３、１０４、１０５    挿入情報蓄積サーバ
１０６    放送衛星
１０７    インターネット
１１１    操作入力部
１１２    記憶部
１１３    通信部
１１４    受信部
１１５    編集部
１１６    出力部
１１７    表示部
１２１    放送番組出力部
１２２    コントロール部
１２３    スケジュールサーバ
２０１    時計回路
２０２    システムコントローラ
２０３、２１３    ＤＥＭＵＸ回路
２０４、２０５    復号化部
２１１    アンテナ
２１２    チューナ
２２１、２３１    音声復号化部
２２２、２３２    映像復号化部
２４１    音声挿入部
２４２    映像挿入部
２５１    音声出力部
２５２    映像出力部
２６１    音声表示部
２６２    映像表示部
【図１】
2004186890.tif 000003
【図２】
2004186890.tif 000004
【図３】
2004186890.tif 000005
【図４】
2004186890.tif 000006
【図５】
2004186890.tif 000007
【図６】
2004186890.tif 000008
【図７】
2004186890.tif 000009
【図８】
2004186890.tif 000010